(57)【要約】【課題】  音出力用内装材の取付け、取り外しに当り、開口部の周囲の内装材の端部の破損を防止し、取付け、取り外しが容易に行える。【解決手段】  音出力用内装パネルＡを、内装面Ｎの開口部Ｂに取付けられる外枠１と音出力用内装材２とで構成する。外枠１の内側面に取付け手段４を設ける。音出力用内装材２を、内枠６と、音出力用内装板５と、裏面板７と、音出力用内装板５を振動させて室内に音を発生させるための励振器８とで構成する。音出力用内装板５材の内枠６に被取付け手段９を設ける。音出力用内装材２の内枠６を外枠１内に着脱自在に嵌め込むと共に取付け手段４に被取付け手段９を着脱自在に取付ける。【選択図】図１
2008271429.tif 000002
【特許請求の範囲】
【請求項１】
建物の内装面の一部を構成し且つ音発生機能を備えた音出力用内装パネルであって、該音出力用内装パネルを、内装面の開口部に取付けられる外枠と外枠内に着脱自在に嵌め込まれる音出力用内装材とで構成し、外枠の内側面に取付け手段を設け、上記音出力用内装材を、外枠内に嵌め込み自在となった内枠と、該内枠が周囲に取付けられた音出力用内装板と、内枠に囲まれた部分を背面側において覆うように内枠の背面に固着された裏面板と、音出力用内装板と内枠と裏板とに囲まれた空間内に配置され且つ音出力用内装板の裏面に取付けられて音出力用内装板を振動させて室内に音を発生させるための励振器とで構成し、該音出力用内装材の内枠に被取付け手段を設け、音出力用内装材の内枠を外枠内に着脱自在に嵌め込むと共に取付け手段に被取付け手段を着脱自在に取付けて成ることを特徴とする音発生機能を備えた音出力用内装パネル。
【請求項２】
外枠の外側面部に普通内装材の端部を嵌め込むための外側方に開口する凹部を設けて成ることを特徴とする請求項１記載の音発生機能を備えた音出力用内装パネル。
【請求項３】
外枠の下部に外側方に向けて突出する普通内装材の端部を載置するための載置部を設けると共に、外枠の上部に載置部に載置した普通内装材の端部上面を上方から押圧するための上下移動自在な押圧部を設けて成ることを特徴とする請求項１記載の音発生機能を備えた音出力用内装パネル。
【請求項４】
外枠の対向する一対の内面の長手方向の一端部にそれぞれ軸受け突部を突設し、該軸受け突部に背方及び外枠の内方に開口するＵ字状溝を形成すると共に該Ｕ字状溝の溝奥にＵ字状溝に連通してＵ字状溝の溝巾よりも直径が大きい軸受け溝を形成し、外枠の上記対向する一対の内面の長手方向の他端部又は外枠の内面の他の一対の内面のうち上記Ｕ字状溝を設けた部分から離れている方の内面にラッチ受けを設け、内枠の４外側面のうち対向する一対の外側面の長手方向の一端部に外側方に向けて軸を突設し、該軸を突設した内枠の側面の長手方向と平行な軸の両側面にカット部を設けて両側のカット部間の寸法を軸の径よりも小さくし、該軸の径を上記Ｕ字状溝の溝巾よりも大きく且つ軸受け溝の径よりも小さく設定すると共に軸のカット部間の寸法をＵ字状溝の溝巾よりも小さく設定し、内枠の上記対向する一対の内面の長手方向の他端部又は内枠の対向する他の一対の外側面のうち軸を設けた部分から離れている方の外側面にラッチを設け、内枠の軸を設けた外側面の長手方向が外枠の長手方向と交差するように内枠を外枠の前方に向けて突出するように位置させて両カット部がＵ字状溝の両内面に対向するようにして軸受け溝に挿入された状態で軸を軸受け溝に回動自在に軸支し、内枠を外枠内に嵌め込んだ状態でラッチをラッチ受けに着脱自在に係止すると共に、内枠を外枠内に嵌め込んだ状態で軸のカット部がＵ字状溝の挿入方向と非平行となるように設定して成ることを特徴とする請求項１乃至請求項３のいずれかに記載の音発生機能を備えた音出力用内装パネル。
【発明の詳細な説明】
【技術分野】
【０００１】
本発明は、室内の内装面の一部を構成するための音発生機能を備えた音出力用内装パネルに関するものである。
【背景技術】
【０００２】
従来から、天井に設ける点検蓋として、点検蓋の面板の裏面に振動用アクチュエータを設けて振動用アクチュエータで点検蓋の面板を振動させることで室内に音を発生させるようにしたものが特許文献１により知られている。
【０００３】
この特許文献１に示された従来例にあっては、全体として断面ハット状をし且つ四周縁にフランジを設けた点検蓋を、鋼板を折り曲げ加工することで構成してあり、該点検蓋の裏面に振動用アクチュエータを設け、更に、全体として断面ハット状をした点検蓋のフランジ上に遮音材を載設してある。そして、点検蓋の取付けに当たっては、天井の開口部に点検蓋を配置すると共に点検蓋のフランジを天井の開口部の周囲の天井材上に直接載置することによって取付けてあるので、着脱する点検蓋により天井の開口部の周囲の天井材の端部が破損しやすく、また、点検蓋の取付け、取り外しに当たっても、点検蓋を起立させた状態で平面視で四角状の開口部の対角線と一致するように点検蓋を斜めにした状態で開口部内を上方に通し、その後、開口部の上方位置で点検蓋を水平にするとともに水平面で４５°回転して点検蓋のフランジを天井の開口部の周囲の天井材上に載置する必要があり、取り外しも上記と逆の手順で行う必要がある。このため、点検蓋の取付け、取り外しが面倒で、しかも、天井という高所で振動用アクチュエータへの配線等を行った後に、上記取付けを行う必要があるので、取付け作業がいっそう煩雑となるという問題があった。
【０００４】
また、上記従来例にあっては、開口部の周囲の天井材に点検蓋を支持できるような構造となった天井材を施工した天井にした適用できないという問題があり、様々な現場の様々な種類の天井に適用することができない。
【特許文献１】特開２００６−１３３６３９号公報
【発明の開示】
【発明が解決しようとする課題】
【０００５】
本発明は上記の従来の問題点に鑑みて発明したものであって、音出力用内装材の取付け、取り外しに当たって、音出力用内装材が直接内装面の開口部の周囲の内装材の端部に当たらないようにして取付け、取り外しができ、損傷しやすい開口部の周囲の内装材の端部が破損しないようにし、また、音出力用内装材の取付け、取り外しが容易に行える音発生機能を備えた音出力用内装パネルを提供することを課題とするものである。
【課題を解決するための手段】
【０００６】
上記課題を解決するために本発明に係る音発生機能を備えた室内の内装構造は、建物の内装面Ｎの一部を構成し且つ音発生機能を備えた音出力用内装パネルＡであって、該音出力用内装パネルＡを、内装面Ｎの開口部Ｂに取付けられる外枠１と該外枠１内に着脱自在に嵌め込まれる音出力用内装材２とで構成し、外枠１の内側面に取付け手段４を設け、上記音出力用内装材２を、外枠１内に嵌め込み自在となった内枠６と、該内枠６が周囲に取付けられた音出力用内装板５と、内枠６に囲まれた部分を背面側において覆うように内枠６の背面に固着された裏面板７と、音出力用内装板５と内枠６と裏板とに囲まれた空間内に配置され且つ音出力用内装板５の裏面に取付けられて音出力用内装板５を振動させて室内に音を発生させるための励振器８とで構成し、該音出力用内装板５の内枠６に被取付け手段９を設け、音出力用内装材２の内枠６を外枠１内に着脱自在に嵌め込むと共に取付け手段４に被取付け手段９を着脱自在に取付けて成ることを特徴とするものである。
【０００７】
このような構成とすることで、外枠１を内装面Ｎの開口部Ｂに取付け、この外枠１内に音出力用内装材２を着脱自在に嵌め込むと共に取付け手段４に被取付け手段９を着脱自在に取付けることで、内装面Ｎを構成するための内装材として音を発生させる内装材である音出力用内装材２を取付けることができ、これにより内装面Ｎの一部から内装面Ｎの一部を構成する音出力用内装板５を振動させて室内に向けて音を発生させることができる。音出力用内装材２は、内装面Ｎの開口部Ｂに取付けた外枠１に対して着脱自在に取付けるので、周囲の普通内装材３の端部が外枠１により保護されていて、音出力用内装材２の取付け、取り外しに当たって、周囲の普通内装材３の端部を音出力用内装材２により傷付けることがない。また、取付け後は取り外す必要のない外枠１を内装面Ｎの開口部Ｂに取付け、この外枠１に保守、点検等で取り外す必要がある音出力用内装材２を取付けるので、外枠１の取付けに制約がなく、様々な現場の様々な取付けが可能となる。
【０００８】
また、外枠１の外側面部に普通内装材３の端部を嵌め込むための外側方に開口する凹部１０を設けることが好ましい。
【０００９】
このような構成とすることで、外枠１の凹部１０に普通内装材３の端部を嵌め込むことで外枠１と普通内装材３との取付けができる。
【００１０】
また、外枠１の下部に外側方に向けて突出する普通内装材３の端部を載置するための載置部１１を設けると共に、外枠１の上部に載置部１１に載置した普通内装材３の端部上面を上方から押圧するための上下移動自在な押圧部１２を設けることが好ましい。
【００１１】
このような構成とすることで、普通内装材３の端部の厚みが異なっても、確実に取付けることができる。
【００１２】
また、外枠１の対向する一対の内面の長手方向の一端部にそれぞれ軸受け突部１３を突設し、該軸受け突部１３に背方及び外枠１の内方に開口するＵ字状溝１４を形成すると共に該Ｕ字状溝１４の溝奥にＵ字状溝１４に連通してＵ字状溝１４の溝巾よりも直径が大きい軸受け溝１５を形成し、外枠１の上記対向する一対の内面の長手方向の他端部又は外枠１の内面の他の一対の内面のうち上記Ｕ字状溝１４を設けた部分から離れている方の内面にラッチ受け１６を設け、内枠６の４外側面のうち対向する一対の外側面の長手方向の一端部に外側方に向けて軸１７を突設し、該軸１７を突設した内枠６の側面の長手方向と平行な軸の両側面にカット部１８を設けて両側のカット部１８間の寸法を軸１７の径よりも小さくし、該軸１７の径を上記Ｕ字状溝１４の溝巾よりも大きく且つ軸受け溝１５の径よりも小さく設定すると共に軸１７のカット部１８間の寸法をＵ字状溝１４の溝巾よりも小さく設定し、内枠６の上記対向する一対の内面の長手方向の他端部又は内枠６の対向する他の一対の外側面のうち軸１７を設けた部分から離れている方の外側面にラッチ１９を設け、内枠６の軸１７を設けた外側面の長手方向が外枠１の長手方向と交差するように内枠６を外枠１の前方に向けて突出するように位置させて両カット部がＵ字状溝１４の両内面に対向するようにして軸受け溝１５に挿入された状態で軸を軸受け溝１５に回動自在に軸支し、内枠６を外枠１内に嵌め込んだ状態でラッチ１９をラッチ受け１６に着脱自在に係止すると共に、内枠６を外枠１内に嵌め込んだ状態で軸１７のカット部１８がＵ字状溝１４の挿入方向と非平行となるように設定することが好ましい。
【００１３】
このような構成とすることで、音出力用内装材２の外枠１への取付けに当たって、軸１７をＵ字状溝１４の溝奥の軸受け溝１５に入れて音出力用内装材２を外枠１に仮支持した状態で、配線等の作業を行い、その後、音出力用内装材２を軸１７の軸受け溝１５の軸支部分を中心に回動し音出力用内装材２の内枠６を外枠１に着脱自在に嵌め込むと共にラッチ１９をラッチ受け１６に着脱自在に係止することで、簡単に音出力用内装材２を外枠１に取付けることができる。ここで、軸１７のＵ字状溝１４への挿入に当たっては、軸１７をカット部１８がＵ字状溝１４の挿入方向と平行となるようにしてＵ字状溝１４に挿入することで、軸１７を溝奥の軸受け溝１５に簡単に入れることができ、一方、音出力用内装材２を回動して内枠６を外枠１内に嵌め込んだ状態では軸１７のカット部１８がＵ字状溝１４の挿入方向と非平行となるため、音出力用内装材２を回動して内枠６を外枠１内に嵌め込んだ状態では軸受け溝１５から軸１７が外れることがない。しかも、取り外す際は、ラッチ１９のラッチ受け１６への係合を外して音出力用内装材２を逆方向に回動し、軸１７をカット部１８がＵ字状溝１４の挿入方向と平行となるようにすることで、簡単に軸１７をＵ字状溝１４から抜き取ることができる。
【発明の効果】
【００１４】
本発明は、上記のように、音出力用内装パネルを、外枠と、外枠内に着脱自在に嵌め込まれる音出力用内装材との２部材で構成しているので、音出力用内装材を取付けたり、取り外したりするに当たって、内装面の開口部の周囲の普通内装材の端部を外枠で保護した状態で、音出力用内装材が普通内装材の端部に直接に当たらないようにして取付けたり、取り外したりでき、損傷しやすい開口部の周囲の内装材の端部が破損しない。また、外枠に音出力用内装材の周囲の内枠を嵌め込みにより取付けるので、音出力用内装材の取付け、取り外しが容易に行える。
【発明を実施するための最良の形態】
【００１５】
以下、本発明を添付図面に示す実施形態に基いて説明する。
【００１６】
天井面、壁面、床面等の建物の内装面Ｎは天井材、壁材、床材等の内装材を複数並設することで構成されるが、内装面Ｎを構成するための複数の内装材として本発明においては、音を発生させない普通内装材３と、音発生機能を備えた音出力用内装パネルＡとが使用してあり、内装面Ｎの大部分は普通内装材３で構成してあり、内装面Ｎの一部を構成する内装材として音出力用内装パネルＡを設けてある。
【００１７】
添付図面に示す実施形態では内装面Ｎが天井面の例を示し、普通内装材３が普通天井材、音声出力用内装パネルＡが音声出力天井パネルの例が示してあるが、内装面Ｎが壁面、床面であってもよいのはもちろんである。
【００１８】
音出力用内装パネルＡは、矩形状をした外枠１と、外枠１内に着脱自在に嵌め込まれる音出力用内装材２とで構成してある。
【００１９】
外枠１は矩形状をしていて内装面Ｎの開口部Ｂに配設されて取付けられるもので、外枠１の取付けに当たっては、開口部Ｂの周囲の普通内装材３に直接固着して取付けたり、あるいは、梁、野縁、柱、根太等の下地構造材にねじや釘あるいは接着剤により直接固定したり、あるいは、梁、野縁、柱、根太等の下地構造材にブラケットなどの連結部材を介して取付けたりする。
【００２０】
添付図面に示す各実施形態では開口部Ｂの周囲の普通内装材３に直接固着して取付けた例を示しているが、これにのみ限定されるものではない。
【００２１】
図１、図１２に示す各実施形態においては、外枠１の下部に外側方に向けて突出する普通内装材３の端部を載置するための載置部１１を設け、更に、外枠１の上部に載置部１１に載置した普通内装材３の端部上面を上方から押圧するための上下移動自在な押圧部１２を設けてある。押圧部１２ははさみ金具１２ａにより構成してある。はさみ金具１２ａは外枠１の上面部に固着した金具本体１２ｂに上下移動自在にねじ軸１２ｃを螺挿して構成してあり、外枠１の載置部１１上に普通内装材３の端部を載置した状態でねじ軸１２ｃを回してねじ軸１２ｃの下端部の押付け板１２ｄを普通内装材３の端部（図１、図１２に示す実施形態では普通天井材３の端部に設けた野縁２３）上面に押し付けることで上下から挟持して取付けるようになっている。この実施形態においては普通内装材３の端部の上下高さが現場により異なっても確実に取付けることができる。
【００２２】
また、図１３、図１４に示す実施形態においては、外枠１の外側部の外側面部に普通内装材３の端部を嵌め込むための外側方に開口する凹部１０を設け、この凹部１０に、ケナフ板、合板、その他の木製の板、鉄板、アルミニューム等の金属板、ロックウール板、石膏ボード等の板材よりなる普通内装材３の端部を嵌め込んで取付けるようになっている。ここで、図１３に示す実施形態のように外枠１の内側面に内側凹部２１を設けるとともに内側凹部２１の溝奥から外側面側にかけて孔２２を設け、該孔２２からねじや釘等の固着具２０を挿入して普通内装材３に固着してもよく、あるいは、図１４に示すように凹部１０に普通内装材３の端部を嵌め込むと共に接着剤２９により接着してもよい。
【００２３】
上記のようにして内装面Ｎの開口部Ｂに取付けられる外枠１の内側面には後述するような取付け手段４が設けてある。
【００２４】
外枠１内に着脱自在に嵌め込まれる音出力用内装材２は、外枠１内に嵌め込み自在となった内枠６と、該内枠６が周囲に取付けられた音出力用内装板５と、内枠６に囲まれた部分を背面側において覆うように内枠６の背面に固着された裏面板７と、音出力用内装板５と内枠６と裏面板７とに囲まれた空間内に配置され且つ音出力用内装板５の裏面に取付けられて音出力用内装板５を振動させて室内に音を発生させるための励振器８とで構成してある。
【００２５】
内枠６には外枠１に設けた取付け手段４に着脱自在となった後述するような被取付け手段９が設けてある。
【００２６】
音出力用内装板５はケナフ板、合板、その他の木製の板、鉄板、アルミニューム等の金属板、ロックウール板、石膏ボード等よりなり、背面にエキサイターのような励振器８を設けてある。音出力信号が励振器８に入力されることで振動板としての音出力用内装板５を直接振動させて室内に向けて音声、音楽、音を発生するように構成してある。
【００２７】
次に、取付け手段４、被取付け手段９の一実施形態につき説明する。
【００２８】
図２乃至図８に示す実施形態において、外枠１の対向する一対の内面の長手方向の一端部にそれぞれ軸受け突部１３が突設してある。この軸受け突部１３には背方（図においては天井の例で説明しているので上方）及び外枠１の内方に開口するＵ字状溝１４が形成してある。Ｕ字状溝１４の下端部にはＵ字状溝１４に連通してＵ字状溝１４の溝巾よりも直径が大きい軸受け溝１５が形成してある。また、外枠１の上記対向する一対の内面の長手方向の他端部又は外枠１の内面の他の一対の内面のうち上記Ｕ字状溝１４を設けた部分から離れている方の内面にラッチ受け１６を設けてあり、ラッチ受け１６には係止孔１６ａが設けてある。本実施形態においては、溝奥が軸受け溝１５となったＵ字状溝１４とラッチ受け１６とで取付け手段４を構成してある。
【００２９】
内枠６の４外側面のうち対向する一対の外側面の長手方向の一端部に外側方に向けて軸１７を突設してある。この軸１７を突設した内枠６の側面の長手方向と平行な軸１７の両側面をカットしてカット部１８を設けてある。この両側のカット部１８はそれぞれ軸１７を設けた内枠６の一対の外側面の長手方向と平行となっている。
【００３０】
上記軸１７の両側のカット部１８間の寸法を軸１７の径よりも小さく設定してある。また、軸１７の径をＵ字状溝１４の溝巾よりも大きく且つ軸受け溝１５の径よりも小さく設定すると共に、軸１７のカット部１８間の寸法をＵ字状溝１４の溝巾よりも小さく設定してある。
【００３１】
内枠６の上記対向する一対の内面の長手方向の他端部又は内枠６の対向する他の一対の外側面のうち軸１７を設けた部分から離れている方の外側面にラッチ１９を設けてある。
【００３２】
このラッチ１９は例えば図８に示すようなもので、内枠６の裏面側に固着したラッチケース２５内にラッチ１９を配置してある。ラッチ１９は一端部がラッチケース２５に回動自在に支持してあり、ラッチ１９の他端部に一側面が傾斜面となった係止用突部１９ａを突設し、該係止用突部１９ａをラッチケース２５に設けた第１窓部２５ａから突出自在としてあり、ラッチケース２５内に収納したばね２６によりラッチ１９に対して係止用突部１９ａが第１窓部２５ａから外に突出する方向のばね力を付与してある。
【００３３】
ラッチ１９には更に解除用突部１９ｂが設けてあり、解除用突部１９ｂはラッチケース２５に設けた第２窓部２５ｂから出没自在としてあり、係止用突部１９ａが第１窓部２５ｂから突出している状態で解除用突部１９ｂが第２窓部２５ｂから突出するようになっており、解除用突部１９ｂの第２窓部２５ｂから突出している部分の下方位置に対応する内枠６の部位には操作孔部２７が設けてあって、操作孔部２７からドライバーのような治具を挿入して解除用突部１９ｂを押し込むことで、ばね２６に抗してラッチ１９を回動して係止用突部１９ａを引き込ませるようにしている。本実施形態においては、上記軸１７、ラッチ１９により被取付け手段９を構成している。
【００３４】
内装面Ｎの開口部Ｂに取付けた外枠１に対して音出力用内装材２の外周部の内枠６を着脱自在に取付けるには以下のようにして行う。
【００３５】
まず、図２のように、内枠６の軸１７を設けた外側面の長手方向が外枠１の長手方向と交差するように内枠６を外枠１の前方に向けて突出するように位置させ、この状態で図２の矢印のように内枠６を外枠１側に移動させ、図５（ａ）→（ｂ）→（ｃ）のように軸１７の両カット部１８がＵ字状溝１４の両内面に対向するようにして軸受け溝１５に挿入して溝奥の軸受け溝１５に軸１７を嵌め込む。これが図３の状態であり、この状態は外枠１に内枠６を仮支持した状態である。
【００３６】
この内枠６の仮支持状態で、音出力用内装板５に設けた励振器８への配線作業等を行う（普通内装材３の背方の空間に通した配線と励振器８との接続を行う）。その後、図３の矢印のように音出力用内装材２を回動することで、音出力用内装材２の外周部の内枠６を外枠１内に嵌め込み、ラッチ１９の係止用突部１９ａをラッチ受け１６の係止孔１６ａに着脱自在に係止することで、図４のように、音出力用内装材２を外枠１に着脱自在に取付ける。
【００３７】
この取付け状態では、音出力用内装材２を回動して内枠６を外枠１内に嵌め込んだ状態では図５（ｄ）のように軸１７のカット部１８がＵ字状溝１４の挿入方向と非平行となるため、音出力用内装材２を回動して内枠６を外枠１内に嵌め込んだ状態では軸受け溝１５から軸１７が外れることがない。
【００３８】
一方、励振器８の保守、点検などの場合は、操作孔部２７からドライバーのような治具を挿入して解除用突部１９ｂを押し込んで、ばね２６に抗してラッチ１９を回動して係止用突部１９ａを係止孔１６ａから引き抜き、その後、図３の状態とすることで、保守、点検ができる。また、取り外して点検したい場合には、図３の状態では図５（ｃ）のように軸１７のカット部１８がＵ字状溝１４の挿入方向と平行となるため、簡単に軸１７をＵ字状溝１４から抜き取ることができる。
【００３９】
なお、上記実施形態では操作孔部２７からドライバーのような治具を挿入して解除用突部１９ｂを押し込む例を示したが、図９乃至図１１のように、内枠６に操作レバー３０を回動自在に取付け、操作レバー３０の下端部を操作孔部２７に臨ませるか又は内枠６の下面より下方に突出させ、操作レバー３０を操作することで解除用突部１９ｂを押し込んで係止用突部１９ａを係止孔１６ａから引き抜くように構成してもよい。
【００４０】
また、上記実施形態では、溝奥が軸受け溝１４となったＵ字状溝１４とラッチ受け１６とで取付け手段４を構成し、軸１７、ラッチ１９により被取付け手段９を構成した例を示しているが、外枠１の内側面にラッチ受け１６を設けて取付け手段４とし内枠６の外面にラッチ１９を設けて被取付け手段９としてもよい。
【００４１】
なお、普通内装材３の下面と、音出力用内装板５の下面にはそれぞれ同じ外観をしたクロスを張ってもよい。
【図面の簡単な説明】
【００４２】
【図１】本発明の音出力用内装パネルの取付け状態を示す一実施形態の断面図である。
【図２】同上の外枠への音出力用内装材の取付け前の状態を示す斜視図である。
【図３】同上の外枠に音出力用内装材を仮取付けした状態の斜視図である。
【図４】同上の外枠に音出力用内装材を取付けした状態の斜視図である。
【図５】（ａ）（ｂ）（ｃ）（ｄ）は軸をＵ字状溝の溝奥の軸受け溝に嵌め込む順序を示す説明図である。
【図６】同上の外枠のラッチ受けを設けた部分の斜視図である。
【図７】同上の内枠のラッチを取付けた部分の斜視図である。
【図８】（ａ）はラッチとラッチケースを示す分解斜視図であり、（ｂ）はラッチ受けとラッチを示す分解斜視図であり、（ｃ）はラッチがラッチ受けに係止している状態の斜視図である。
【図９】同上のラッチの係止を解除するための操作レバーを設けた例の斜視図である。
【図１０】（ａ）は同上のラッチがラッチ受けに係止している状態の平面図であり、（ｂ）は断面図である。
【図１１】（ａ）は同上の操作レバーを操作してラッチのラッチ受けとの係止を解除した状態の平面図であり、（ｂ）は断面図である。
【図１２】（ａ）は本発明の他の実施形態の音出力用内装材の取付け状態を示す断面図であり、（ｂ）は同上の外枠の取付け部分の斜視図である。
【図１３】（ａ）は本発明の更に他の実施形態の音出力用内装材の取付け状態を示す断面図であり、（ｂ）は同上の外枠の斜視図である。
【図１４】本発明の他の実施形態の音出力用内装材の取付け状態を示す断面図である。
【符号の説明】
【００４３】
Ａ  音出力用内装パネル
Ｂ  開口部
Ｎ  内装面
１  外枠
２  音出力用内装材
４  取付け手段
５  音出力用内装板
６  内枠
７  裏面板
８  励振器
９  被取付け手段
１０  凹部
１１  載置部
１２  押圧部
１３  軸受け突部
１４  Ｕ字状溝
１５  軸受け溝
１６  ラッチ受け
１７  軸
１８  カット部
１９  ラッチ
【図１】
2008271429.tif 000003
【図２】
2008271429.tif 000004
【図３】
2008271429.tif 000005
【図４】
2008271429.tif 000006
【図５】
2008271429.tif 000007
【図６】
2008271429.tif 000008
【図７】
2008271429.tif 000009
【図８】
2008271429.tif 000010
【図９】
2008271429.tif 000011
【図１０】
2008271429.tif 000012
【図１１】
2008271429.tif 000013
【図１２】
2008271429.tif 000014
【図１３】
2008271429.tif 000015
【図１４】
2008271429.tif 000016